(57)【要約】【課題】ＴＳ、同期信号及びフレーム同期信号との互換性を維持しつつ、外部ノイズからの影響を少なくし得るマイクロ波伝送システムの送信装置を提供する。【解決手段】レベル判定回路１５において、同期信号とフレーム同期信号とを比較して同期信号の立ち上がりポイントにおけるフレーム同期信号の信号レベルが検出し、この検出結果からフレーム同期信号がＬレベルである場合に、立ち上がりポイントから同期信号の略１／４周期長前後でＬレベルからＨレベルに変化し、フレーム同期信号がＨレベルである場合に、立ち上がりポイントから同期信号の略１／４周期長前後でＬレベルからＨレベルに変化する波形データメモリ１６から連続的に読み出して新フレーム同期信号としてＳＴＬ送信回路１４に出力するようにしている。【選択図】図２
2006246132.tif 000002
【特許請求の範囲】
【請求項１】
デジタル放送に用いられ、送信側で送出部にてフレーム構造のＴＳ（Transport Stream）信号と、このＴＳ信号に同期し互いに異なる第１の信号レベル及び第２の信号レベルを有する同期信号と、この同期信号に比して周期が長く当該ＴＳ信号のフレームに同期しかつ第１及び第２の信号レベルを有するフレーム同期信号とからなる放送情報をマイクロ波により送出し、受信側で前記マイクロ波を受信し信号処理部にて前記放送情報に含まれる同期信号及びフレーム同期信号に基づいて前記ＴＳ信号を処理するマイクロ波伝送システムで使用される送信装置であって、
前記同期信号と前記フレーム同期信号とを比較して、前記同期信号の前記第１の信号レベルから第２の信号レベルへの変化点における前記フレーム同期信号の信号レベルを検出する検出手段と、
この検出手段による検出結果に基づいて、前記フレーム同期信号が前記第２の信号レベルである場合に、前記変化点前後で前記第２の信号レベルから第１の信号レベルに変化し、前記フレーム同期信号が前記第１の信号レベルである場合に、前記変化点前後で前記第１の信号レベルから第２の信号レベルに変化する波形整形信号を生成し、この波形整形信号を前記フレーム同期信号として前記送出部に供給する波形生成手段とを具備したことを特徴とするマイクロ波伝送システムの送信装置。
【請求項２】
前記波形生成手段は、前記検出手段による検出結果に基づいて、前記フレーム同期信号が前記第２の信号レベルである場合に、前記変化点から前記同期信号の略１／４周期前後で前記第２の信号レベルから第１の信号レベルに変化し、前記フレーム同期信号が前記第１の信号レベルである場合に、前記変化点から前記同期信号の略１／４周期前後で前記第１の信号レベルから第２の信号レベルに変化する波形整形信号を生成し、この波形整形信号を前記フレーム同期信号として前記送出部に供給することを特徴とする請求項１記載のマイクロ波伝送システムの送信装置。
【請求項３】
さらに、前記波形整形されたフレーム同期信号とタイミングを合わせるべく前記ＴＳ信号及び前記同期信号を遅延して前記送出部に入力する遅延手段を備えたことを特徴とする請求項１記載のマイクロ波伝送システムの送信装置。
【請求項４】
前記波形生成手段は、前記波形整形信号の波形データが記憶されたメモリを備えることを特徴とする請求項１記載のマイクロ波伝送システムの送信装置。
【発明の詳細な説明】
【技術分野】
【０００１】
この発明は、地上デジタル放送に用いられるＳＴＬ（Studio to Transmitter Link）等のマイクロ波伝送システムの送信装置に関する。
【背景技術】
【０００２】
地上波デジタル放送にあっては、例えば演奏所（スタジオ）、中継所及び送信所をマイクロ波により結ぶＳＴＬ放送ネットワークの構築が一つの課題となっている。このＳＴＬ放送ネットワークでは、演奏所にて複数パケットを多重したトランスポートストリーム（ＴＳ）を生成し、このＴＳ、同期信号及びフレーム同期信号をマイクロ波帯に周波数変換し電力増幅し、マイクロ波で送信する。一方、中継所または送信所側において、スタジオからのマイクロ波を受信し、周波数変換して電力増幅し、送信所または放送サービスエリアに向けて送信する。なお、中継所または送信所では、同期信号及びフレーム同期信号を現用・予備切替等に使用する。
【０００３】
ところで、上記ＳＴＬ放送ネットワークでは、フレーム同期信号について、Ｈレベル区間、Ｌレベル区間で伝送途中の外部からのノイズを受けやすい。そこで、従来では、同期信号及びフレーム同期信号の受け側において、ＴＳとフレーム同期信号とを比較し、この比較結果に基づいて、フレーム同期信号の時間位置を補正して外乱からのノイズを回避する手法が提案されている（例えば、特許文献）。
【特許文献１】特開平７−１６２４０６号公報。
【発明の開示】
【発明が解決しようとする課題】
【０００４】
ところが、上記手法では、ハードの構成が複雑であり高価である。このため、従来では、ＴＳ、同期信号及びフレーム同期信号との互換性を維持しつつ、外部ノイズからの影響を少なくする有効な手法が強く望まれている。
【０００５】
そこで、この発明の目的は、ＴＳ、同期信号及びフレーム同期信号との互換性を維持しつつ、外部ノイズからの影響を少なくし得るマイクロ波伝送システムの送信装置を提供することにある。
【課題を解決するための手段】
【０００６】
この発明は、上記目的を達成するために、以下のように構成される。  
デジタル放送に用いられ、送信側で送出部にてフレーム構造のＴＳ（Transport Stream）信号と、このＴＳ信号に同期し互いに異なる第１の信号レベル及び第２の信号レベルを有する同期信号と、この同期信号に比して周期が長く当該ＴＳ信号のフレームに同期しかつ第１及び第２の信号レベルを有するフレーム同期信号とからなる放送情報をマイクロ波により送出し、受信側でマイクロ波を受信し信号処理部にて放送情報に含まれる同期信号及びフレーム同期信号に基づいてＴＳ信号を処理するＳＴＬ（Studio to Transmitter Link）伝送システムであって、送信側は、同期信号とフレーム同期信号とを比較して、同期信号の第１の信号レベルから第２の信号レベルへの変化点におけるフレーム同期信号の信号レベルを検出する検出手段と、この検出手段による検出結果に基づいて、フレーム同期信号が第２の信号レベルである場合に、変化点前後で第２の信号レベルから第１の信号レベルに変化し、フレーム同期信号が第１の信号レベルである場合に、変化点前後で第１の信号レベルから第２の信号レベルに変化する波形整形信号を生成し、この波形整形信号をフレーム同期信号として送出部に供給する波形生成手段とを備えるようにしたものである。
【０００７】
この構成によれば、同期信号とフレーム同期信号とを比較することで同期信号の第１の信号レベルから第２の信号レベルへの変化点におけるフレーム同期信号の信号レベルが検出される。そして、この検出結果からフレーム同期信号が第２の信号レベルである場合に、変化点前後で第２の信号レベルから第１の信号レベルに変化し、フレーム同期信号が第１の信号レベルである場合に、変化点前後で第１の信号レベルから第２の信号レベルに変化する波形整形信号が生成され、この波形整形信号をフレーム同期信号として送出部に供給される。従って、ＴＳ、同期信号及びフレーム同期信号との互換性を維持しつつ、フレーム同期信号の第１信号レベルまたは第２信号レベルにおける直流成分を少なくして外部ノイズからの影響を低減できる。
【０００８】
波形生成手段は、検出手段による検出結果に基づいて、フレーム同期信号が第２の信号レベルである場合に、変化点から同期信号の略１／４周期前後で第２の信号レベルから第１の信号レベルに変化し、フレーム同期信号が第１の信号レベルである場合に、変化点から同期信号の略１／４周期前後で第１の信号レベルから第２の信号レベルに変化する波形整形信号を生成し、この波形整形信号をフレーム同期信号として送出部に供給することを特徴とする。
【０００９】
この構成によれば、同期信号の第１信号レベルから第２信号レベルへの変化点から同期信号の略１／４周期前後で第１信号レベルから第２の信号レベルへ、または第２信号レベルから第１信号レベルへ変化する波形整形信号を生成するようにしているので、ＴＳ信号と、同期信号とのタイミングを調整することが容易となる。
【００１０】
さらに、波形整形されたフレーム同期信号とタイミングを合わせるべくＴＳ信号及び同期信号を遅延して送出部に入力する遅延手段を備えたことを特徴とする。  
この構成によれば、ＴＳ信号と同期信号の送出タイミングを波形整形されたフレーム同期信号に常に確実に合わせることができる。
【００１１】
波形生成手段は、波形整形信号の波形データが記憶されたメモリを備えることを特徴とする。  
この構成によれば、メモリに記憶されている波形データを用いて、簡単な手順により波形整形信号の生成を行うことができる。
【発明の効果】
【００１２】
以上詳述したようにこの発明によれば、ＴＳ、同期信号及びフレーム同期信号との互換性を維持しつつ、外部ノイズからの影響を少なくし得るマイクロ波伝送システムの送信装置を提供することができる。
【発明を実施するための最良の形態】
【００１３】
以下、この発明の実施形態について図面を参照して詳細に説明する。  
図１は、この発明の一実施形態に係る地上デジタル放送のＳＴＬ伝送システムの概略構成図である。
【００１４】
図１において、スタジオＡは、複数パケットを多重した放送素材信号としてのトランスポートストリーム（ＴＳ）を生成し、ＴＳ、このＴＳに同期した同期信号及び当該ＴＳのフレームに同期したフレーム同期信号をマイクロ波帯に周波数変換し電力増幅して、アンテナ１１によりマイクロ波（ＳＴＬ放送ネットワーク）で送信する。一方、親局送信所Ｂは、アンテナ２１によりスタジオＡからの送信波を受信し、放送用周波数に変換し電力増幅して、アンテナ２２により放送サービスエリアに向けて送信する。このとき、フレーム同期信号を用いて、ＴＳの現用・予備の切り替え等も行う。
【００１５】
図２は、上記スタジオＡの要部構成を示すブロック図である。  
図２において、再多重回路（ＲｅＭＵＸ）１２は、複数パケットを多重したＴＳを生成するものである。この再多重回路１２の出力のうち、ＴＳと同期信号は遅延回路１３を介してＳＴＬ送信回路１４に供給され、同期信号及びフレーム同期信号はレベル判定回路１５に供給される。
【００１６】
レベル判定回路１５は、同期信号とフレーム同期信号とを同期信号のＬ（ロー）レベルからＨ（ハイ）レベルへの変化点毎に比較しこの比較結果からフレーム同期信号の信号レベルを判定するもので、この判定結果はメモリ１６に送られる。メモリ１６には、フレーム同期信号がＨレベルであるときに対応する波形データ、Ｌレベルであるときに対応する波形データが記憶されており、レベル判定回路１５からの判定結果に基づいて対応する波形データをＳＴＬ送信回路１４に出力する。
【００１７】
一方、遅延回路１３は、ＴＳ及び同期信号を遅延して上記波形整形されたフレーム同期信号とのタイミングを調整するためのものである。
【００１８】
ＳＴＬ送信回路１４は、ＴＳ、同期信号及びフレーム同期信号をマイクロ波帯に周波数変換し電力増幅して、上記アンテナ１１によりマイクロ波で送信する。
【００１９】
上記構成において、以下、図３及び図４を参照して、その処理動作を説明する。  
まず、再多重回路１２において、図３（a）に示すフレーム同期信号Ｓ１と、図３（ｂ）に示す同期信号Ｓ２とを生成する。なお、図３において、Ｓ３，Ｓ４は０Ｖ、Ｓ５は同期信号の１クロック、Ｓ６はフレーム同期信号のＬレベルの区間を示している。
【００２０】
そして、ＳＴＬ送信回路１４では、これらフレーム同期信号Ｓ１及び同期信号Ｓ２をＴＳと共にマイクロ波帯に周波数変換されて送出されることになる。このとき、フレーム同期信号Ｓ１のＨレベルとＬレベル区間で変化が少ないと、外部からのノイズを受けやすくなる。
【００２１】
そこで、本実施形態では、フレーム同期信号Ｓ１及び同期信号Ｓ２をレベル判定回路１５に入力し、レベル判定回路１５及びメモリ１６によりフレーム同期信号Ｓ１のノイズ対策を講じるようにしている。この場合のフレーム同期信号Ｓ１の波形整形の様子を図４（ａ）〜（ｅ）に示す。
【００２２】
図４（ａ）は再多重回路１２の出力となるフレーム同期信号Ｓ１、図４（ｂ）はＳＴＬ送信回路１４に入力される波形整形された新フレーム同期信号Ｓ１２、図４（ｃ）は再多重回路１２の出力となる同期信号Ｓ２、図４（ｄ）はメモリ１６に記憶される波形データＳ７，Ｓ９、図４（ｅ）はレベル判定回路１５における同期信号の立ち上がりＳ８，Ｓ１０を示している。図４において、Ｓ１１はフレーム同期信号Ｓ１のＨレベル、Ｓ１３は新フレーム同期信号Ｓ１２のＬレベル区間、Ｓ１４は新フレーム同期信号Ｓ１２のＨレベル区間、Ｓ１５は０Ｖレベルであることを示している。
【００２３】
レベル判定回路１５は、同期信号Ｓ２の立ち上がり毎にフレーム同期信号Ｓ１と同期信号Ｓ２とを比較し、これによりフレーム同期信号Ｓ１がＨレベルであるのかＬレベルであるのかを判定する。そして、同期信号Ｓ２の立ち上がりＳ８でフレーム同期信号Ｓ１がＬレベルであれば、メモリ１６からＬレベルに対応する波形データＳ７を読み出しＳＴＬ送信回路１４に出力する。一方、同期信号Ｓ２の立ち上がりＳ１０でフレーム同期信号Ｓ１がＨレベルであれば、メモリ１６からＨレベルに対応する波形データＳ９を読み出しＳＴＬ送信回路１４に出力する。すると、ＳＴＬ送信回路１４には、新フレーム同期信号Ｓ１２が供給されることになる。
【００２４】
なお、メモリ１６に記憶される波形データＳ７は、同期信号Ｓ２の立ち上がりポイントから同期信号Ｓ２の略１／４周期長前後でＬレベルからＨレベルに変化する波形であり、波形データＳ１０は、同期信号Ｓ２の立ち上がりポイントから同期信号Ｓ２の略１／４周期長前後でＨレベルからＬレベルに変化する波形である。このように波形データＳ８，Ｓ１０が予め決められているので、遅延回路１３においてＴＳ及び同期信号Ｓ２の出力タイミングを新フレーム同期信号Ｓ１２のタイミングに調整することが簡単にできる。
【００２５】
以上のように上記実施形態では、レベル判定回路１５において、同期信号Ｓ２とフレーム同期信号Ｓ１とを比較して同期信号Ｓ２の立ち上がりポイントにおけるフレーム同期信号の信号レベルが検出し、この検出結果からフレーム同期信号Ｓ２がＬレベルである場合に、立ち上がりポイントから同期信号Ｓ２の略１／４周期長前後でＬレベルからＨレベルに変化し、フレーム同期信号Ｓ１がＨレベルである場合に、立ち上がりポイントから同期信号Ｓ２の略１／４周期長前後でＬレベルからＨレベルに変化する波形データＳ８，Ｓ１０をメモリ１６から連続的に読み出して新フレーム同期信号Ｓ１２としてＳＴＬ送信回路１４に出力するようにしている。
【００２６】
従って、ＴＳ、同期信号及びフレーム同期信号との互換性を維持しつつ、フレーム同期信号のＬレベル区間またはＨレベル区間における直流成分を少なくして外部ノイズからの影響を低減できる。
【００２７】
また、上記実施形態によれば、メモリ１６に記憶されている波形データＳ８，Ｓ１０を用いて、簡単な手順により新フレーム同期信号Ｓ１２を生成することができる。
【００２８】
さらに、上記実施形態では、遅延回路１３において、新フレーム同期信号Ｓ１２とタイミングと合うようにＴＳ及び同期信号を遅延してＳＴＬ送信回路１４に出力するようにしている。このため、ＴＳと同期信号の送出タイミングを波形整形された新フレーム同期信号Ｓ１２に常に確実に合わせることができる。
【００２９】
なお、上記実施形態では、メモリ１６にフレーム同期信号Ｓ２がＬレベルである場合に、立ち上がりポイントから同期信号Ｓ２の略１／４周期長前後でＬレベルからＨレベルに変化し、フレーム同期信号Ｓ１がＨレベルである場合に、立ち上がりポイントから同期信号Ｓ２の略１／４周期長前後でＬレベルからＨレベルに変化する波形データＳ８，Ｓ１０を記憶しておく例について説明した。しかしこれに限ることなく、立ち上がりポイント前後でＬレベルからＨレベルに変化し、フレーム同期信号Ｓ１がＨレベルである場合に、立ち上がりポイント前後でＬレベルからＨレベルに変化する波形データを記憶しておくようにしてもよい。
【００３０】
また、上記実施形態では、メモリ１６に記憶されている波形データを使用する例について説明した。しかしこれに限ることなく、予め波形データが既知である場合は、必ずしもメモリ１６は必要でなく、レベル判定回路１５による判定結果に基づいて波形整形を行うようにしてもよい。
【００３１】
その他、システム構成、スタジオの要部構成、新フレーム同期信号の生成手順等についても、この発明の要旨を逸脱しない範囲で種々変形して実施できる。
【図面の簡単な説明】
【００３２】
【図１】この発明の一実施形態に係る地上デジタル放送のＳＴＬ伝送システムの概略構成図。
【図２】図２に示したスタジオの要部構成を示すブロック図。
【図３】以前における同期信号及びフレーム同期信号の信号タイミング図。
【図４】同実施形態におけるフレーム同期信号の波形整形の様子を説明するために示す信号タイミング図。
【符号の説明】
【００３３】
１１，２１、２２…アンテナ、１２…再多重回路（ＲｅＭＵＸ）、１３…遅延回路、１４…ＳＴＬ送信回路、１５…レベル判定回路、１６…メモリ、Ａ…スタジオ、Ｂ…親局送信所。
【図１】
2006246132.tif 000003
【図２】
2006246132.tif 000004
【図３】
2006246132.tif 000005
【図４】
2006246132.tif 000006